(57)【要約】【課題】コンテンツダウンロードサービスにおいて、サービス品質を低下させることなく、放送波が伝搬する放送伝送路とインターネット等の通信回線とを組み合わせたサービスを実現する。【解決手段】受信装置２−１は、ユーザが蓄積用コンテンツを選択するために必要なポータル用ＨＴＭＬファイル及びダウンロード制御情報（ＤＣＩ）を通信回線１２から取得する。そして、放送伝送路１１から送信されるコンテンツのうち、ユーザが所望する蓄積用コンテンツのＥＣＧメタデータ、再生制御情報及びコンテンツ本体をコンテンツの配信時刻に放送伝送路１１から取得して蓄積する。また、課金処理のために必要な購入属性メタデータを課金処理の直前に通信回線１２から取得し、コンテンツの視聴直前に視聴用コンテンツのライセンスを通信回線１２から取得する。【選択図】図２
2010063093.tif 000002
【特許請求の範囲】
【請求項１】
放送波を伝搬させて一方向の伝送を行う放送伝送路と、双方向の伝送を行う通信回線とを用いてコンテンツダウンロードサービスを行う受信装置において、
前記コンテンツダウンロードサービスを受けるユーザが所望する蓄積用コンテンツについて、前記蓄積用コンテンツに関する情報を含むＥＣＧメタデータ、及び前記蓄積用コンテンツを再生するために必要な制御情報を含む再生制御情報を、前記蓄積用コンテンツ本体と共に、前記蓄積用コンテンツ本体の配信時刻に前記放送伝送路から取得する手段と、
前記蓄積用コンテンツの中からユーザが視聴用コンテンツを選択するときに、前記蓄積用コンテンツに関する料金を含む購入属性メタデータを、前記通信回線から取得する手段と、
前記購入属性メタデータに基づいて、その視聴用コンテンツの視聴に伴う課金処理を行う手段と、
前記課金処理された視聴用コンテンツのライセンスを、前記通信回線または当該受信装置に接続されたリムーバブルメディアから取得する手段と、
前記ライセンスに基づいて、前記視聴用コンテンツを再生する手段と、
を備えたことを特徴とする受信装置。
【請求項２】
請求項１に記載の受信装置において、
ユーザがコンテンツダウンロードサービスを受けるときに、コンテンツリストを含む情報を、前記通信回線から取得する手段と、
ユーザが所望する前記コンテンツリストの中の蓄積用コンテンツについて、前記ＥＣＧメタデータ、再生制御情報、コンテンツ本体、購入属性メタデータ及びライセンスを取得するために必要な制御情報を含むダウンロード制御情報を、前記通信回線から取得する手段と、
を備えたことを特徴とする受信装置。
【請求項３】
請求項１に記載の受信装置において、
所定期間内に放送伝送路からダウンロードされるコンテンツのリスト及びユーザが所望する蓄積用コンテンツを特定するための情報を含むシンプルメタデータと、前記ＥＣＧメタデータ、再生制御情報、コンテンツ本体、購入属性メタデータ及びライセンスを取得するために必要な制御情報を含むダウンロード制御情報とを、前記放送伝送路から定期的に取得する手段と、
前記シンプルメタデータに基づいて、ユーザが所望する蓄積用コンテンツを特定する手段と、
を備えたことを特徴とする受信装置。
【請求項４】
請求項１に記載の受信装置において、
ユーザがコンテンツダウンロードサービスを受けるときに、コンテンツリストを含む情報を、前記通信回線から取得する手段と、
ユーザが所望する前記コンテンツリストの中の蓄積用コンテンツについて、前記ＥＣＧメタデータ、再生制御情報、コンテンツ本体、購入属性メタデータ及びライセンスを取得するために必要な制御情報を含む第１のダウンロード制御情報を、前記通信回線から取得する手段と、
所定期間内に放送伝送路からダウンロードされるコンテンツのリスト及びユーザが所望する蓄積用コンテンツを特定するための情報を含むシンプルメタデータと、前記ＥＣＧメタデータ、再生制御情報、コンテンツ本体、購入属性メタデータ及びライセンスを取得するために必要な制御情報を含む第２のダウンロード制御情報とを、前記放送伝送路から定期的に取得する手段と、
前記シンプルメタデータに基づいて、ユーザが所望する蓄積用コンテンツを特定する手段と、
を備えたことを特徴とする受信装置。
【請求項５】
請求項３または４に記載の受信装置において、
前記シンプルメタデータに含まれる情報と、ユーザにより予め設定された情報とに基づいて、ユーザが所望する蓄積用コンテンツを特定する手段
を備えたことを特徴とする受信装置。
【請求項６】
放送波を伝搬させて一方向の伝送を行う放送伝送路と、双方向の伝送を行う通信回線とを用いてコンテンツダウンロードサービスを行う送信装置、サーバ及び受信装置を備えた伝送システムにおいて、
前記送信装置は、
前記コンテンツダウンロードサービスを受けるユーザが所望する蓄積用コンテンツについて、前記蓄積用コンテンツに関する情報を含むＥＣＧメタデータ、及び前記蓄積用コンテンツを再生するために必要な制御情報を含む再生制御情報を、前記蓄積用コンテンツ本体と共に、前記蓄積用コンテンツ本体の配信時刻に、前記放送伝送路を介して受信装置へ送信する手段を備え、
前記サーバは、
前記蓄積用コンテンツの中からユーザが視聴用コンテンツを選択するときに、前記受信装置からのリクエストに応じて、前記蓄積用コンテンツに関する料金を含む購入属性メタデータを、前記通信回線を介して受信装置へ送信する手段と、
ユーザが選択する視聴用コンテンツのライセンスを、前記受信装置からのリクエストに応じて、前記通信回線を介して受信装置へ送信する手段と、を備え、
前記受信装置は、
ユーザが所望する蓄積用コンテンツのＥＣＧメタデータ、再生制御情報及び蓄積用コンテンツ本体を、前記蓄積用コンテンツ本体の配信時刻に、前記放送伝送路を介して送信装置から取得する手段と、
前記蓄積用コンテンツの中からユーザが視聴用コンテンツを選択するときに、前記蓄積用コンテンツに関する料金を含む購入属性メタデータを取得するためのリクエストを、前記通信回線を介してサーバへ送信し、前記サーバから購入属性メタデータを取得する手段と、
前記購入属性メタデータに基づいて、その視聴用コンテンツの視聴に伴う課金処理を行う手段と、
前記課金処理された視聴用コンテンツのライセンスを取得するためのリクエストを、前記通信回線を介してサーバへ送信し、前記サーバからライセンスを取得する手段と、
前記ライセンスに基づいて、前記視聴用コンテンツを再生する手段と、を備えたことを特徴とする伝送システム。
【発明の詳細な説明】
【技術分野】
【０００１】
本発明は、コンテンツダウンロードサービスを行う受信装置及び伝送システムに関し、特に、放送波が伝搬する放送伝送路とインターネット等の通信回線とを組み合わせて、コンテンツダウンロードサービスを行う技術に関する。
【背景技術】
【０００２】
従来、インターネット等の通信回線を利用したコンテンツダウンロードサービスが知られている。このコンテンツダウンロードサービスは、パーソナルコンピュータ（受信装置）を用いてブラウザにより画面表示されたコンテンツをユーザが選択することにより、サーバに保持されたコンテンツが通信回線を介してダウンロードされ、ダウンロードされたコンテンツを再生してユーザに視聴させるものである。コンテンツのダウンロードに伴って、課金処理がされる場合がある。
【０００３】
図１５は、通信回線による従来のコンテンツダウンロードサービスを実現する伝送システムの全体構成を示す図である。また、図１６は、図１５の伝送システムによる一般的なコンテンツダウンロードサービスの処理を示すフローチャートである。この伝送システム１００は、ユーザの操作に従ってコンテンツをダウンロードして視聴可能にする受信装置２００と、受信装置２００のブラウザによりコンテンツリストを画面表示するための情報を提供するポータルサイトに設けられたサーバ８と、コンテンツ及びコンテンツに関する情報等が蓄積された蓄積装置１０を有し、コンテンツの配信を行うコンテンツ配信サイトに設けられたサーバ９と、を備えて構成される。受信装置２００と、ポータルサイトのサーバ８及びコンテンツ配信サイトのサーバ９とは、通信回線１２を介して接続される。
【０００４】
ここで、ポータルサイトのサーバ８は、コンテンツリストを画面表示するための情報を含むポータルサイト用ＨＴＭＬ（ＨｙｐｅｒＴｅｘｔ  Ｍａｒｋｕｐ  Ｌａｎｇｕａｇｅ）ファイルを保持している。また、コンテンツ配信サイトの蓄積装置１０には、コンテンツ、ダウンロード制御情報（ＤＣＩ（Ｄｏｗｎｌｏａｄ  Ｃｏｎｔｒｏｌ  Ｉｎｆｏｒｍａｔｉｏｎ））、ＥＣＧ（Ｅｌｅｃｔｒｏｎｉｃ  Ｃｏｎｔｅｎｔ  Ｇｕｉｄｅ）メタデータ及び再生制御情報が蓄積されているものとする。これらの情報の説明については後述する。
【０００５】
受信装置２００は、パーソナルコンピュータ等の端末装置であり、蓄積装置２１、通信回線サービス処理部２０１、通信処理部２０２、ＤＣＩ保持・解釈部２０３、通信ダウンローダ２０４、蓄積コンテンツ用ＥＣＧナビゲーション処理部２０５、購入処理部２０６、ライセンス管理部２０７、デクリプタ２０８及びＡＶプレイヤ２０９を備えている。
【０００６】
受信装置２００を用いてユーザがコンテンツダウンロードサービスを受ける場合、ユーザによるキーボード及びマウスの操作により、通信回線サービス処理部２０１は、ポータルサイトからポータル用ＨＴＭＬファイルを取得するためのリクエストを通信処理部２０２に出力し、通信処理部２０２は、このリクエストを、通信回線１２を介してポータルサイトのサーバ８へ送信する。そして、通信処理部２０２は、ポータルサイトのサーバ８からポータル用ＨＴＭＬファイルを、通信回線１２を介して受信し、通信回線サービス処理部２０１に出力する。このようにして、受信装置２００は、ポータル用ＨＴＭＬファイルを取得する（ステップＳ１６０１）。そして、受信装置２００のブラウザにより、ポータル用ＨＴＭＬファイルが画面表示される。
【０００７】
ここで、ポータル用ＨＴＭＬファイルは、複数のコンテンツのそれぞれの名称、コンテンツＩＤ、及び、各コンテンツのダウンロード制御情報（ＤＣＩ）が保存されている場所を示す所在情報（リンク情報）等を含むファイルである。ダウンロード制御情報（ＤＣＩ）の詳細については後述する。
【０００８】
ユーザは、画面表示された複数のコンテンツ名称等が示されたコンテンツリストの中から、蓄積装置２１にダウンロードして蓄積するための蓄積用コンテンツを選択する（ステップＳ１６０２）。
【０００９】
通信回線サービス処理部２０１は、ユーザによる蓄積用コンテンツの選択操作により、選択された蓄積用コンテンツのダウンロード制御情報（ＤＣＩ）を取得するためのリクエストを通信処理部２０２に出力する。通信処理部２０２は、このリクエストを、ポータル用ＨＴＭＬファイルに含まれるダウンロード制御情報（ＤＣＩ）の所在情報に基づいて、その所在先へ送信する。そして、通信処理部２０２は、コンテンツ配信サイトのサーバ９から蓄積装置１０に蓄積されたダウンロード制御情報（ＤＣＩ）を受信し、通信回線サービス処理部２０１に出力する。このようにして、受信装置２００は、ユーザにより選択された蓄積用コンテンツのダウンロード制御情報（ＤＣＩ）を取得する（ステップＳ１６０３）。
【００１０】
ここで、ダウンロード制御情報（ＤＣＩ）は、蓄積用コンテンツが保存されている所在情報（リンク情報）、ＥＣＧメタデータの所在情報、再生制御情報の所在情報、ライセンス（ライセンスデータ）の所在情報、コンテンツＩＤ、ライセンスＩＤ等を含む制御情報であり、蓄積用コンテンツのダウンロードのために必要な制御情報により構成される。
【００１１】
通信回線サービス処理部２０１は、蓄積用コンテンツのダウンロード制御情報（ＤＣＩ）を取得すると、ダウンロード制御情報（ＤＣＩ）をＤＣＩ保持・解釈部２０３に出力する。ＤＣＩ保持・解釈部２０３は、通信回線サービス処理部２０１からダウンロード制御情報（ＤＣＩ）を入力すると、ダウンロード制御情報（ＤＣＩ）を保持して解釈する。
【００１２】
通信ダウンローダ２０４は、ＤＣＩ保持・解釈部２０３によるダウンロード制御情報（ＤＣＩ）の解釈に従い、蓄積用コンテンツのＥＣＧメタデータ及び再生制御情報を取得するためのリクエストを通信処理部２０２に出力する。通信処理部２０２は、これらのリクエストを、ダウンロード制御情報（ＤＣＩ）に含まれるＥＣＧメタデータの所在情報及び再生制御情報の所在情報に基づいて、所在先へそれぞれ送信する。そして、通信処理部２０２は、コンテンツ配信サイトのサーバ９から蓄積装置１０に蓄積されたＥＣＧメタデータ及び再生制御情報を受信し、通信ダウンローダ２０４に出力する。通信ダウンローダ２０４は、通信処理部２０２からＥＣＧメタデータ及び再生制御情報を入力し、ＥＣＧメタデータを蓄積コンテンツ用ＥＣＧナビゲーション処理部２０５に出力すると共に、再生制御情報及び後述する蓄積用コンテンツを蓄積装置２１に蓄積する。このようにして、受信装置２００は、ユーザにより選択された蓄積用コンテンツのＥＣＧメタデータ及び再生制御情報を取得する（ステップＳ１６０４）。
【００１３】
ここで、ＥＣＧメタデータは、コンテンツにおける、タイトル名及び概要等のコンテンツ属性メタデータ、グループのタイトル名及び概要等のグループ属性メタデータ、料金及び購入条件等の購入属性メタデータ、利用条件及びタイプ等のライセンス属性メタデータ等のメタデータから構成される。尚、ＥＣＧメタデータについてはＡＲＩＢ  ＳＴＤ−Ｂ３８に記載されているので、ここでは詳細な説明を省略する（ＡＲＩＢ  ＳＴＤ−Ｂ３８については非特許文献１を参照）。また、再生制御情報は、受信装置２００がコンテンツを再生するために必要な情報を含む制御情報である。具体的には、特殊再生及びジャンプ等を行うための、コンテンツの時間軸及びバイト位置のマッピング情報を提供する情報に加え、対象コンテンツが暗号化コンテンツであるか否かを識別するための情報、及び、コンテンツのライセンスまたは権利保護に関連する情報をいう。
【００１４】
通信処理部２０２は、ＥＣＧメタデータ及び再生制御情報の受信に伴い、ＥＣＧメタデータにおける購入属性メタデータを購入処理部２０６に出力する。購入処理部２０６は、通信処理部２０２から購入属性メタデータを入力すると、その蓄積用コンテンツの購入処理すなわち課金処理を行う（ステップＳ１６０５）。具体的には、通信処理部２０２は、購入処理部２０６からの指示により、蓄積用コンテンツを特定するコンテンツＩＤ及び利用者を特定するユーザ情報を、通信回線１２を介してサーバ９へ送信する。サーバ９は、送信されたコンテンツＩＤ及びユーザ情報に基づいて、ユーザに対する、コンテンツのライセンス付与に必要な金額を課金し、正常に課金することができた場合には課金処理の終了を通信処理部２０２へ送信する。そして、通信処理部２０２は、課金処理の終了を購入処理部２０６に出力する。尚、課金の金額が０円である場合もある。購入処理部２０６は、課金処理が完了すると、その旨を、通信処理部２０２を介してコンテンツ配信サイトのサーバ９へ送信する。尚、説明の便宜上、コンテンツ提供事業者Ｂに設置されたサーバ９が課金処理を行うようにしたが、実際は、サーバ９とは別にコンテンツ提供事業者Ｂに設置された他のサーバ（図示せず）が課金処理を行う。そのサーバは、顧客管理、課金及び決済の処理を行う。
【００１５】
通信ダウンローダ２０４は、ＤＣＩ保持・解釈部２０３によるダウンロード制御情報（ＤＣＩ）の解釈に従い、ユーザにより選択されたコンテンツ本体を取得するためのリクエストを通信処理部２０２に出力する。通信処理部２０２は、このリクエストを、ダウンロード制御情報（ＤＣＩ）に含まれるコンテンツの所在情報に基づいて、所在先へ送信する。そして、通信処理部２０２は、コンテンツ配信サイトのサーバ９から蓄積装置１０に蓄積されたコンテンツ本体を受信し、通信ダウンローダ２０４に出力する。通信ダウンローダ２０４は、通信処理部２０２からコンテンツ本体を入力し、前述したように、再生制御情報と共に蓄積装置２１に蓄積する。このようにして、受信装置２００は、ユーザにより選択された蓄積用コンテンツを取得する（ステップＳ１６０６）。
【００１６】
蓄積コンテンツ用ＥＣＧナビゲーション処理部２０５は、通信ダウンローダ２０４からＥＣＧメタデータを入力する。そして、ユーザにより選択された全ての蓄積用コンテンツのＥＣＧメタデータが、ＥＣＧナビ画面に蓄積用コンテンツ毎に表示される。
【００１７】
ユーザは、画面表示された複数の蓄積用コンテンツのＥＣＧメタデータ（例えば、コンテンツのタイトル名、概要、料金等）を参照して、表示された蓄積用コンテンツの中から、視聴用コンテンツを選択する（ステップＳ１６０７）。
【００１８】
蓄積コンテンツ用ＥＣＧナビゲーション処理部２０５は、ユーザによる視聴用コンテンツの選択操作により、選択されたコンテンツのライセンスを取得するためのリクエストを通信処理部２０２に出力する。通信処理部２０２は、このリクエストを、ダウンロード制御情報（ＤＣＩ）に含まれるライセンスの所在情報に基づいて、所在先へ送信する。そして、通信処理部２０２は、コンテンツ配信サイトのサーバ９からライセンスを受信し、ライセンス管理部２０７に出力する。
【００１９】
ライセンス管理部２０７は、通信処理部２０２からライセンスを入力すると、ライセンス管理を行う。このようにして、ライセンス管理部２０７は、ユーザにより選択された視聴用コンテンツのライセンスを取得する（ステップＳ１６０８）。ここで、ライセンスは、コンテンツの暗号鍵（コンテンツ鍵）、利用開始日時及び利用終了日時、さらに、信号出力制限及びコピー制限に関わる情報を含む出力制御情報のことである。
【００２０】
デクリプタ２０８は、ライセンス管理部２０７により取得されたライセンスに従い、ユーザにより選択された視聴用コンテンツ及び再生制御情報を蓄積装置２１から読み出し、視聴用コンテンツが暗号化されている場合には、ライセンスに含まれる暗号鍵を用いてその視聴用コンテンツを復号する。具体的には、暗号化ストリームを平文のストリームに復号する。ＡＶプレイヤ２０９は、デクリプタ２０８により復号されたコンテンツを映像及び音声として出力する。具体的には、ＭＰＥＧ−２、Ｈ．２６４／ＡＶＣ等で圧縮された平文のストリームを復号し、映像及び音声信号を取り出して出力する。
【００２１】
このようにして、ユーザは、蓄積用コンテンツが蓄積装置２１に蓄積されて課金処理が完了した後、蓄積用コンテンツのＥＣＧメタデータの表示内容から視聴用コンテンツを選択し、ライセンスが取得され、所望の視聴用コンテンツを視聴することができる（ステップＳ１６０９）。
【００２２】
ところで、２０１１年から利用可能となるＢＳ周波数によるデジタル放送の方式として、新たな高度ＢＳデジタル放送の伝送方式が提案されている（非特許文献２を参照）。この新たな高度ＢＳデジタル放送の伝送方式を用いることにより、テレビ放送サービスだけでなく、コンテンツダウンロードサービスの実現に向けた研究開発が進められている。高度ＢＳデジタル放送によるコンテンツダウンロードサービスは、ユーザによる受信装置の操作に従って、ユーザが視聴するコンテンツを放送波から取得し、受信装置に蓄積するものである。
【００２３】
このような放送伝送路を利用したコンテンツダウンロードサービスの実現に伴い、前述したインターネット等の通信回線を利用したコンテンツダウンロードサービスとの間の共通化が実現されることが望ましい。そこで、放送伝送路と通信回線とを組み合わせてコンテンツダウンロードサービスの共通化を実現するために（放送伝送路からのコンテンツダウンロードサービスと通信回線からのコンテンツダウンロードサービスとを共通の仕組みで実現するために）、ＩＰパケットを送受信する仕組みが検討されている（非特許文献３を参照）。また、映像及び音声信号をデジタル信号にて記録し再生する光磁気ディスク、磁気テープ等によるミニディスクシステムが、放送伝送路を利用してダウンロードされるコンテンツにも適用できるように、標準規格のバスを介してデータの送受信を行う仕組みも開発されている（特許文献１を参照）。
【００２４】
【非特許文献１】ＡＲＩＢ  ＳＴＤ−Ｂ３８「サーバ−型放送における符号化、伝送及び蓄積制御方式」、社団法人電波産業会
【非特許文献２】橋本、鈴木、筋誡、田中、木村、正源等、「高度ＢＳデジタル放送の伝送方式」、電子情報通信学会、技術研究報告ＳＡＴ２００７−１０、ｐｐ１３−１８、Ｊｕｎｅ  ２００７
【非特許文献３】青木秀一、西村敏、青木勝典、木村武史、「高度ＢＳデジタル放送におけるＩＰパケット伝送方式の一検討」、映像情報メディア学会、２００７年冬季大会３−３、Ｄｅｃ．  ２００７
【特許文献１】特開２０００−１４９４０７号公報
【発明の開示】
【発明が解決しようとする課題】
【００２５】
しかしながら、図１５及び図１６に示した通信回線によるコンテンツダウンロードサービスの構成及び処理を、放送伝送路と通信回線とを組み合わせたコンテンツダウンロードサービスに適用する場合には、以下のような課題がある。
【００２６】
（１）ＥＣＧメタデータの送信による放送伝送路の帯域浪費
放送伝送路を利用してダウンロード可能なコンテンツの情報をユーザへ知らせるために、ＥＣＧメタデータが放送伝送路を介して送信される場合、放送伝送路の送信装置は、数日分の番組情報（コンテンツ情報）をＥＣＧメタデータとして、放送伝送路を介して常に送信する必要がある。一つのコンテンツのＥＣＧメタデータの容量は小さいが、配信予定のコンテンツの全てについて配信する必要があり、合計すると大容量のデータとなるから、常に放送伝送路に送信された場合には、放送伝送路の帯域を浪費するという問題が生じる。
【００２７】
（２）ＥＣＧメタデータを取得するための大量のリクエストによる輻輳
放送伝送路を利用してダウンロード可能なコンテンツの情報をユーザへ知らせるために、ＥＣＧメタデータが通信回線を介して送信される場合を想定する。一般に、放送伝送路を利用してダウンロードされるコンテンツの配信終了タイミングは全国で同一である。したがって、受信装置から通信回線を介して送信される、ＥＣＧメタデータを取得するためのリクエストは、コンテンツの配信終了タイミングに集中することになるから、通信回線が輻輳状態になるという問題が生じる。
【００２８】
（３）購入属性メタデータの更新遅れ
放送伝送路を利用してダウンロード可能なコンテンツの情報をユーザへ知らせるために、ＥＣＧメタデータが放送伝送路を介して送信される場合、ＥＣＧメタデータにより全てのユーザに対して同一の情報のみが送信される。しかし、ＥＣＧメタデータに含まれる購入属性メタデータは、コンテンツの料金及び購入条件等が日時またはユーザ等によって異なることが想定される。したがって、全てのユーザに対して同一の購入属性メタデータが送信されることは望ましくなく、課金処理が行われるときに、個人に対応した最新の購入属性メタデータが送信されることが望ましい。つまり、受信装置において、課金処理を行うときに、最新の購入属性メタデータを取得することができないという問題が生じる。また、ＥＣＧメタデータが送信されるタイミングはカルーセル処理の周期に依存する。このため、受信装置において、最新の購入属性メタデータを取得するには、カルーセル処理の１周期分の遅れが生じ、利便性が低下するという問題が生じる。
【００２９】
そこで、本発明はこのような課題を解決するためになされたものであり、その目的は、コンテンツダウンロードサービスにおいて、サービス品質を低下させることなく、放送波が伝搬する放送伝送路とインターネット等の通信回線とを組み合わせたサービスを実現することが可能な受信装置及び伝送システムを提供することにある。
【課題を解決するための手段】
【００３０】
前記課題を解決するため、本発明による請求項１の受信装置は、放送波を伝搬させて一方向の伝送を行う放送伝送路と、双方向の伝送を行う通信回線とを用いてコンテンツダウンロードサービスを行う受信装置において、前記コンテンツダウンロードサービスを受けるユーザが所望する蓄積用コンテンツについて、前記蓄積用コンテンツに関する情報を含むＥＣＧメタデータ、及び前記蓄積用コンテンツを再生するために必要な制御情報を含む再生制御情報を、前記蓄積用コンテンツ本体と共に、前記蓄積用コンテンツ本体の配信時刻に前記放送伝送路から取得する手段と、前記蓄積用コンテンツの中からユーザが視聴用コンテンツを選択するときに、前記蓄積用コンテンツに関する料金を含む購入属性メタデータを、前記通信回線から取得する手段と、前記購入属性メタデータに基づいて、その視聴用コンテンツの視聴に伴う課金処理を行う手段と、前記課金処理された視聴用コンテンツのライセンスを、前記通信回線または当該受信装置に接続されたリムーバブルメディアから取得する手段と、前記ライセンスに基づいて、前記視聴用コンテンツを再生する手段と、を備えたことを特徴とする。
【００３１】
また、本発明による請求項２の受信装置は、請求項１に記載の受信装置において、ユーザがコンテンツダウンロードサービスを受けるときに、コンテンツリストを含む情報を、前記通信回線から取得する手段と、ユーザが所望する前記コンテンツリストの中の蓄積用コンテンツについて、前記ＥＣＧメタデータ、再生制御情報、コンテンツ本体、購入属性メタデータ及びライセンスを取得するために必要な制御情報を含むダウンロード制御情報を、前記通信回線から取得する手段と、を備えたことを特徴とする。
【００３２】
また、本発明による請求項３の受信装置は、請求項１に記載の受信装置において、所定期間内に放送伝送路からダウンロードされるコンテンツのリスト及びユーザが所望する蓄積用コンテンツを特定するための情報を含むシンプルメタデータと、前記ＥＣＧメタデータ、再生制御情報、コンテンツ本体、購入属性メタデータ及びライセンスを取得するために必要な制御情報を含むダウンロード制御情報とを、前記放送伝送路から定期的に取得する手段と、前記シンプルメタデータに基づいて、ユーザが所望する蓄積用コンテンツを特定する手段と、を備えたことを特徴とする。
【００３３】
また、本発明による請求項４の受信装置は、請求項１に記載の受信装置において、ユーザがコンテンツダウンロードサービスを受けるときに、コンテンツリストを含む情報を、前記通信回線から取得する手段と、ユーザが所望する前記コンテンツリストの中の蓄積用コンテンツについて、前記ＥＣＧメタデータ、再生制御情報、コンテンツ本体、購入属性メタデータ及びライセンスを取得するために必要な制御情報を含む第１のダウンロード制御情報を、前記通信回線から取得する手段と、所定期間内に放送伝送路からダウンロードされるコンテンツのリスト及びユーザが所望する蓄積用コンテンツを特定するための情報を含むシンプルメタデータと、前記ＥＣＧメタデータ、再生制御情報、コンテンツ本体、購入属性メタデータ及びライセンスを取得するために必要な制御情報を含む第２のダウンロード制御情報とを、前記放送伝送路から定期的に取得する手段と、前記シンプルメタデータに基づいて、ユーザが所望する蓄積用コンテンツを特定する手段と、を備えたことを特徴とする。
【００３４】
また、本発明による請求項５の受信装置は、請求項３または４に記載の受信装置において、前記シンプルメタデータに含まれる情報と、ユーザにより予め設定された情報とに基づいて、ユーザが所望する蓄積用コンテンツを特定する手段を備えたことを特徴とする。
【００３５】
また、本発明による請求項６の伝送システムは、放送波を伝搬させて一方向の伝送を行う放送伝送路と、双方向の伝送を行う通信回線とを用いてコンテンツダウンロードサービスを行う送信装置、サーバ及び受信装置を備えた伝送システムにおいて、前記送信装置が、前記コンテンツダウンロードサービスを受けるユーザが所望する蓄積用コンテンツについて、前記蓄積用コンテンツに関する情報を含むＥＣＧメタデータ、及び前記蓄積用コンテンツを再生するために必要な制御情報を含む再生制御情報を、前記蓄積用コンテンツ本体と共に、前記蓄積用コンテンツ本体の配信時刻に、前記放送伝送路を介して受信装置へ送信する手段を備え、前記サーバが、前記蓄積用コンテンツの中からユーザが視聴用コンテンツを選択するときに、前記受信装置からのリクエストに応じて、前記蓄積用コンテンツに関する料金を含む購入属性メタデータを、前記通信回線を介して受信装置へ送信する手段と、ユーザが選択する視聴用コンテンツのライセンスを、前記受信装置からのリクエストに応じて、前記通信回線を介して受信装置へ送信する手段と、を備え、前記受信装置が、ユーザが所望する蓄積用コンテンツのＥＣＧメタデータ、再生制御情報及び蓄積用コンテンツ本体を、前記蓄積用コンテンツ本体の配信時刻に、前記放送伝送路を介して送信装置から取得する手段と、前記蓄積用コンテンツの中からユーザが視聴用コンテンツを選択するときに、前記蓄積用コンテンツに関する料金を含む購入属性メタデータを取得するためのリクエストを、前記通信回線を介してサーバへ送信し、前記サーバから購入属性メタデータを取得する手段と、前記購入属性メタデータに基づいて、その視聴用コンテンツの視聴に伴う課金処理を行う手段と、前記課金処理された視聴用コンテンツのライセンスを取得するためのリクエストを、前記通信回線を介してサーバへ送信し、前記サーバからライセンスを取得する手段と、前記ライセンスに基づいて、前記視聴用コンテンツを再生する手段と、を備えたことを特徴とする。
【発明の効果】
【００３６】
以上のように、本発明によれば、サービス品質を低下させることなく、放送波が伝搬する放送伝送路とインターネット等の通信回線とを組み合わせたサービスを実現することが可能となる。例えば、ＥＣＧメタデータを取得するためのリクエストが集中することがないから、通信回線が輻輳状態になることがない。また、配信予定の全てのコンテンツのＥＣＧメタデータが常に送信されることがないから、放送伝送路の帯域を浪費することがない。また、課金処理を行うときに、最新の購入属性メタデータを取得するようにしたから、日時またはユーザ等に対応した料金または購入条件等にすることができ、利便性が低下することはない。
【図面の簡単な説明】
【００３７】
【図１】本発明の実施形態による受信装置を含む伝送システムの全体構成を示す図である。
【図２】実施例１による受信装置の構成を示す図である。
【図３】実施例１によるデマンド型ダウンロードサービスの処理を示すフローチャートである。
【図４】実施例１によるデマンド型ダウンロードサービスの情報の流れを示す図である。
【図５】ダウンロード制御情報（ＤＣＩ）の構成を示す図である。
【図６】ＥＣＧメタデータの構成を示す図である。
【図７】再生制御情報の構成を示す図である。
【図８】購入属性メタデータの構成を示す図である。
【図９】ライセンスデータの構成を示す図である。
【図１０】実施例２による受信装置の構成を示す図である。
【図１１】実施例２によるおまかせ型ダウンロードサービスの処理を示すフローチャートである。
【図１２】実施例２によるおまかせ型ダウンロードサービスの情報の流れを示す図である。
【図１３】シンプルメタデータの構成を示す図である。
【図１４】実施例３による受信装置の構成を示す図である。
【図１５】従来の受信装置を含む伝送システムの全体構成を示す図である。
【図１６】通信回線による従来のコンテンツダウンロードサービスの処理を示すフローチャートである。
【発明を実施するための最良の形態】
【００３８】
以下、本発明を実施するための最良の形態について図面を用いて詳細に説明する。後述する実施例１及び実施例２は、放送伝送路と通信回線とを組み合わせてコンテンツダウンロードサービスの共通化を実現するために、放送伝送路から送信されるコンテンツについて、そのコンテンツのＥＣＧメタデータ、再生制御情報及びコンテンツ本体をコンテンツの配信時刻に放送伝送路から取得し、課金処理のために必要な購入属性メタデータを課金処理の直前に通信回線から取得し、そのライセンスをコンテンツの視聴直前に通信回線から取得するものである。
【００３９】
実施例１は、デマンド型ダウンロードサービスを実現する例であり、ユーザが蓄積用コンテンツを選択するために必要なコンテンツリストを得るためのポータル用ＨＴＭＬファイル、及びコンテンツの所在情報等を含むダウンロード制御情報（ＤＣＩ）を通信回線から取得する。実施例２は、おまかせ型ダウンロードサービスを実現する例であり、ユーザが蓄積用コンテンツを選択するために必要な情報を得るために、ＥＣＧメタデータから切り分けたシンプルメタデータを放送伝送路から取得する。また、コンテンツの所在情報等を含むダウンロード制御情報（ＤＣＩ）を放送伝送路から取得する。実施例３は、実施例１のデマンド型ダウンロードサービス及び実施例２のおまかせ型ダウンロードサービスの両サービスを実現する例である。実施例１〜３によれば、コンテンツダウンロードサービスの品質を低下させることなく、放送伝送路と通信回線とを組み合わせたサービスの共通化を実現することが可能となる。
【００４０】
〔伝送システム〕
まず、実施例１〜３によるコンテンツダウンロードサービスを行う伝送システムについて説明する。図１は、本発明の実施形態による受信装置を含む伝送システムの全体構成を示す図である。この伝送システム１は、受信装置２と、コンテンツ提供事業者Ａのコンテンツ配信サイトに設けられた送信装置３及びサーバ６と、ポータルサイトに設けられたサーバ８と、コンテンツ提供事業者Ｂのコンテンツ配信サイトに設けられたサーバ９とを備えて構成される。コンテンツ提供事業者Ａにおける送信装置３の送信アンテナ５から送信されるデータは、放送波が伝搬する放送伝送路１１を介して、受信装置２の受信アンテナ２０により受信される。また、受信装置２と、コンテンツ提供事業者Ａのサーバ６、ポータルサイトのサーバ８及びコンテンツ提供事業者Ｂのサーバ９とは、インターネット等の通信回線１２を介して接続される。ここで、放送伝送路１１は、放送波を伝搬させて一方向の伝送を行う伝送路であり、通信回線１２は、ＴＣＰ／ＩＰ等の所定の通信プロトコルにより双方向の伝送を行うインターネット等の回線である。
【００４１】
コンテンツ提供事業者Ａの送信装置３には蓄積装置４が接続されており、サーバ６には蓄積装置７が接続されている。後述する実施例１，３において、蓄積装置４には、放送伝送路１１を介してダウンロードされるコンテンツのＥＣＧメタデータ（購入属性メタデータは含まない）、再生制御情報及びコンテンツ本体が蓄積されている。また、蓄積装置７には、コンテンツのダウンロード制御情報（ＤＣＩ）、購入属性メタデータ及びライセンスデータが蓄積されている。一方、後述する実施例２，３において、蓄積装置４には、放送伝送路１１を介してダウンロードされるコンテンツのシンプルメタデータ、ダウンロード制御情報（ＤＣＩ）、ＥＣＧメタデータ、再生制御情報及びコンテンツ本体が蓄積されている。また、蓄積装置７には、コンテンツの購入属性メタデータ及びライセンスデータが蓄積されている。
【００４２】
コンテンツ提供事業者Ｂのサーバ９には蓄積装置１０が接続されており、蓄積装置１０には、通信回線１２を介してダウンロードされるコンテンツのダウンロード制御情報（ＤＣＩ）、購入属性メタデータを含むＥＣＧメタデータ、再生制御情報、コンテンツ本体及びライセンスデータが蓄積されている。
【００４３】
ポータルサイトのサーバ８は、ポータル用ＨＴＭＬファイルを保持している。実施例１，３においては、ポータル用ＨＴＭＬファイルには、コンテンツ提供事業者Ａの送信装置３に接続された蓄積装置４に蓄積されているコンテンツ、及び、コンテンツ提供事業者Ｂのサーバ９に接続された蓄積装置１０に蓄積されているコンテンツのそれぞれの名称、コンテンツＩＤ、及び、各コンテンツのダウンロード制御情報（ＤＣＩ）が保存されている場所を示す所在情報等が含まれる。また、実施例２においては、ポータル用ＨＴＭＬファイルには、コンテンツ提供事業者Ｂのサーバ９に接続された蓄積装置１０に蓄積されているコンテンツのそれぞれの名称等が含まれる。
【００４４】
受信装置２は、ユーザの操作に従って、コンテンツ提供事業者Ａ及びコンテンツ提供事業者Ｂ等から蓄積用コンテンツをダウンロードして蓄積する蓄積装置２１、ユーザの所望する視聴用コンテンツを読み出して復号するデクリプタ２０８、映像及び音声データとして出力するＡＶプレイヤ２０９等を備えている。
【００４５】
受信装置２は、コンテンツ提供事業者Ａのコンテンツを、放送伝送路１１を介してダウンロードしてユーザに視聴させる場合、ユーザによりコンテンツが選択され、またはユーザにより予め設定されたキーワード等がコンテンツの情報に合致し、さらに、コンテンツの配信時刻になったときに、放送伝送路１１からＥＣＧメタデータ、再生制御情報及びコンテンツ本体を取得して蓄積する。そして、ユーザがコンテンツを視聴するときに、受信装置２は、購入属性メタデータを通信回線１２から受信して課金処理を行い、ライセンスを取得する。このようにして、放送伝送路１１と通信回線１２とを組み合わせてコンテンツダウンロードサービスの共通化を実現する。
【００４６】
〔実施例１〕
次に、実施例１について説明する。この実施例１は、デマンド型ダウンロードサービスを実現する例である。デマンド型ダウンロードサービスとは、コンテンツリストの中からユーザにより選択された蓄積用コンテンツをダウンロードして蓄積し、蓄積用コンテンツの中からユーザが所望する視聴用コンテンツをユーザに視聴させるサービスをいう。
【００４７】
図２は、実施例１による受信装置の構成を示す図である。また、図３は、実施例１によるデマンド型ダウンロードサービスの処理を示すフローチャートであり、図４は、その情報の流れを示す図である。図２を参照して、この受信装置２−１は、蓄積装置２１、デジタル放送チューナ２２、放送ダウンローダ２３、予約リスト管理部２４、時計２５、蓄積コンテンツ用ＥＣＧナビゲーション処理部２６、デマンド型用予約処理部３０、ＤＣＩ保持・解釈部３１、通信処理部２０２、通信ダウンローダ２０４、購入処理部２０６、ライセンス管理部２０７、デクリプタ２０８及びＡＶプレイヤ２０９を備えている。
【００４８】
受信装置２−１は、放送伝送路１１を利用したコンテンツダウンロードサービス及び通信回線１２を利用したコンテンツダウンロードサービスを実現する。通信回線１２を利用したコンテンツダウンロードサービスは、デマンド型用予約処理部３０、ＤＣＩ保持・解釈部３１、蓄積装置２１、蓄積コンテンツ用ＥＣＧナビゲーション処理部２６、通信処理部２０２、通信ダウンローダ２０４、購入処理部２０６、ライセンス管理部２０７、デクリプタ２０８及びＡＶプレイヤ２０９により実現される。これは、図１５に示した従来の受信装置２００による処理と同様であるから、ここでは説明を省略する。尚、受信装置２−１のデマンド型用予約処理部３０、ＤＣＩ保持・解釈部３１及び蓄積コンテンツ用ＥＣＧナビゲーション処理部２６は、図１５に示した通信回線サービス処理部２０１、ＤＣＩ保持・解釈部２０３及び蓄積コンテンツ用ＥＣＧナビゲーション処理部２０５と同様の処理をそれぞれ行い、さらに後述する処理も行う。
【００４９】
以下、放送伝送路１１を利用したコンテンツダウンロードサービスのうちのデマンド型ダウンロードサービスについて説明する。
【００５０】
受信装置２−１を用いてユーザが放送伝送路１１を利用したコンテンツダウンロードサービスを受ける場合、ユーザによるキーボード、マウスまたはリモコン等の操作により、デマンド型用予約処理部３０は、ポータルサイトからポータル用ＨＴＭＬファイルを取得するためのリクエストを通信処理部２０２に出力する。
【００５１】
通信処理部２０２は、デマンド型用予約処理部３０からリクエストを入力し、通信回線１２を介してポータルサイトのサーバ８へ送信する。ポータルサイトのサーバ８は、リクエストを受信し、保持しているポータル用ＨＴＭＬファイルを、通信回線１２を介して通信処理部２０２へ送信する。
【００５２】
通信処理部２０２は、ポータルサイトのサーバ８からポータル用ＨＴＭＬファイルを受信し、デマンド型用予約処理部３０に出力する。このようにして、受信装置２−１は、ポータル用ＨＴＭＬファイルを取得する（ステップＳ３０１）。そして、受信装置２−１のブラウザにより、ポータル用ＨＴＭＬファイルが画面表示される。
【００５３】
ユーザは、画面表示された複数のコンテンツ名称等が示されたコンテンツリストの中から、蓄積装置２１にダウンロードして蓄積するための蓄積用コンテンツを選択する（ステップＳ３０２）。
【００５４】
デマンド型用予約処理部３０は、ユーザによる蓄積用コンテンツの選択操作により、選択されたコンテンツのダウンロード制御情報（ＤＣＩ）を取得するためのリクエストを通信処理部２０２に出力する。このリクエストには、ユーザにより選択された蓄積用コンテンツのコンテンツＩＤ、ダウンロード制御情報（ＤＣＩ）の所在情報等が含まれる。コンテンツＩＤ及びダウンロード制御情報（ＤＣＩ）の所在情報は、ポータル用ＨＴＭＬファイルから取り出される。
【００５５】
通信処理部２０２は、デマンド型用予約処理部３０からリクエストを入力し、リクエストに含まれるダウンロード制御情報（ＤＣＩ）の所在情報をあて先として、そのリクエストをコンテンツ提供事業者Ａのサーバ６へ送信する。コンテンツ提供事業者Ａのサーバ６は、リクエストを受信し、リクエストに含まれるコンテンツＩＤをキーにして、蓄積装置７からダウンロード制御情報（ＤＣＩ）を読み出し、通信処理部２０２へ送信する。
【００５６】
通信処理部２０２は、コンテンツ提供事業者Ａのサーバ６からダウンロード制御情報（ＤＣＩ）を受信し、デマンド型用予約処理部３０に出力する。このようにして、受信装置２−１は、ユーザにより選択された蓄積用コンテンツのダウンロード制御情報（ＤＣＩ）を取得する（ステップＳ３０３）。
【００５７】
図５は、ダウンロード制御情報（ＤＣＩ）の構成を示す図である。ダウンロード制御情報（ＤＣＩ）は、１つのコンテンツに対応した情報であり、コンテンツの所在情報、コンテンツの配信開始時刻及び配信終了時刻、コンテンツＩＤ、ライセンスＩＤ、ＥＣＧメタデータの所在情報、再生制御情報の所在情報、購入属性メタデータの所在情報、ライセンスの所在情報等により構成される。このようなダウンロード制御情報（ＤＣＩ）は、コンテンツ提供事業者Ａの蓄積装置７に蓄積されており、サーバ６により送信される。尚、ダウンロード制御情報（ＤＣＩ）は、放送伝送路１１からダウンロードされるコンテンツに適用されるだけでなく、通信回線１２からダウンロードされるコンテンツにも適用される。通信回線１２からダウンロードされるコンテンツに適用される場合は、ダウンロード制御情報（ＤＣＩ）は、コンテンツ提供事業者Ｂの蓄積装置１０に蓄積されている。ここで、コンテンツの所在情報は、コンテンツが放送伝送路１１からダウンロードされる場合（コンテンツがコンテンツ提供事業者Ａから提供される場合）、例えば、放送局のチャネルに相当するサービスＩＤである。一方、コンテンツが通信回線１２からダウンロードされる場合（コンテンツがコンテンツ提供事業者Ｂから提供される場合）、サーバ９のＩＰアドレス及びポート番号等である。
【００５８】
図２、図３及び図４に戻って、デマンド型用予約処理部３０は、取得したダウンロード制御情報（ＤＣＩ）をＤＣＩ保持・解釈部３１に出力する。ＤＣＩ保持・解釈部３１は、デマンド型用予約処理部３０からダウンロード制御情報（ＤＣＩ）を入力し、ダウンロード制御情報（ＤＣＩ）を保持して解釈する。ＤＣＩ保持・解釈部３１は、ダウンロード制御情報（ＤＣＩ）のうちのコンテンツの所在情報に基づいて、コンテンツが放送伝送路１１からダウンロードされるか、または通信回線１２からダウンロードされるかを判断する。ＤＣＩ保持・解釈部３１は、コンテンツが放送伝送路１１からダウンロードされると判断した場合、ダウンロード制御情報（ＤＣＩ）を予約リスト管理部２４に出力する。一方、コンテンツが通信回線１２からダウンロードされると判断した場合、ダウンロード制御情報（ＤＣＩ）を通信ダウンローダ２０４に出力する。コンテンツが通信回線１２からダウンロードされる処理は、図１５及び図１６に示した従来の処理と同様である。
【００５９】
予約リスト管理部２４は、ＤＣＩ保持・解釈部３１からダウンロード制御情報（ＤＣＩ）を入力し、ダウンロード制御情報（ＤＣＩ）のうちの、コンテンツの配信開始時刻及び配信終了時刻に基づいて、コンテンツ予約リストを作成し管理する。そして、予約リスト管理部２４は、時計２５から現在の時刻を読み出し、コンテンツの配信時刻の直前になるまで待つ。予約リスト管理部２４は、コンテンツの配信時刻の直前になったことを判断すると、ユーザにより選択された蓄積用コンテンツのダウンロード処理を行うための指示を、その蓄積用コンテンツのコンテンツＩＤと共に放送ダウンローダ２３に出力する。
【００６０】
放送ダウンローダ２３は、予約リスト管理部２４から、蓄積用コンテンツのダウンロード処理を行うための指示を入力すると、その指示に含まれるコンテンツＩＤのコンテンツに関する情報（ＥＣＧメタデータ、再生制御情報及びコンテンツ本体）の入力を待つために、ダウンロード処理を開始する。
【００６１】
コンテンツの配信時刻になると、コンテンツ提供事業者Ａの送信装置３は、蓄積装置４からそのコンテンツのＥＣＧメタデータ、再生制御情報及びコンテンツ本体を読み出し、送信アンテナ５から放送伝送路１１を介して送信する。デジタル放送チューナ２２は、受信アンテナ２０からＥＣＧメタデータ、再生制御情報及びコンテンツ本体を受信し、放送ダウンローダ２３に出力する。
【００６２】
放送ダウンローダ２３は、デジタル放送チューナ２２からＥＣＧメタデータ、再生制御情報及びコンテンツ本体を入力し、ＥＣＧメタデータを蓄積コンテンツ用ＥＣＧナビゲーション処理部２６に出力すると共に、再生制御情報及びコンテンツ本体を蓄積装置２１に蓄積する。このようにして、受信装置２−１は、ユーザにより選択された蓄積用コンテンツのＥＣＧメタデータ、再生制御情報及びコンテンツ本体を取得する（ステップＳ３０４）。
【００６３】
図６は、ＥＣＧメタデータの構成を示す図である。ＥＣＧメタデータは、１つのコンテンツに対応した情報であり、コンテンツ属性メタデータ、グループ属性メタデータ、ライセンス属性メタデータ及びコンテンツ参照属性メタデータから構成される。ここで、図１５に示した従来の伝送システム１００におけるＥＣＧメタデータと、図６に示すＥＣＧメタデータとを比較すると、両ＥＣＧメタデータには、コンテンツ属性メタデータ、グループ属性メタデータ、ライセンス属性メタデータ及びコンテンツ参照属性メタデータが含まれる点で共通する。しかし、従来のＥＣＧメタデータには購入属性メタデータが含まれ、図６のＥＣＧメタデータには購入属性メタデータが含まれない点で相違する。つまり、購入属性メタデータは、後述するように、ＥＣＧメタデータから切り分けられている。
【００６４】
図６において、コンテンツ属性メタデータは、コンテンツＩＤ、コンテンツが属するグループのグループＩＤ、コンテンツのタイトル名、コンテンツの属するジャンル、コンテンツが有するＡＶ属性、コンテンツの概要、コンテンツのキーワード等である。グループ属性メタデータは、コンテンツが属するグループに関するデータであり、具体的には、グループＩＤ、グループタイプ、グループのタイトル名等である。ライセンス属性メタデータは、コンテンツのライセンスＩＤ、ライセンスタイプ、コンテンツの利用条件等である。コンテンツ参照メタデータは、コンテンツ属性メタデータ、グループ属性メタデータ及びライセンス属性メタデータにおけるデータを参照するときに用いられるデータである。このようなＥＣＧメタデータは、コンテンツ提供事業者Ａの蓄積装置４に蓄積されており、送信装置３により送信される。
【００６５】
図７は、再生制御情報の構成を示す図である。再生制御情報は、前述したように、特殊再生及びジャンプ等を行うためのマッピング情報を提供する情報、対象コンテンツが暗号化コンテンツであるか否かの識別情報、及びコンテンツのライセンスまたは権利保護に関連する情報から構成される。このような再生制御情報は、コンテンツ提供事業者Ａの蓄積装置４に蓄積されており、送信装置３により送信される。
【００６６】
図２、図３及び図４に戻って、蓄積コンテンツ用ＥＣＧナビゲーション処理部２６は、放送ダウンローダ２３からＥＣＧメタデータを入力する。尚、図１５及び図１６に示したように、通信回線１２からダウンロードされる蓄積用コンテンツをユーザが選択した場合には、蓄積コンテンツ用ＥＣＧナビゲーション処理部２６は、通信回線１２からダウンロードされるコンテンツのＥＣＧメタデータを、通信ダウンローダ２０４から入力する。そして、ユーザにより選択された全ての蓄積用コンテンツのＥＣＧメタデータが、ＥＣＧナビ画面に蓄積用コンテンツ毎に表示される（ステップＳ３０５）。
【００６７】
蓄積コンテンツ用ＥＣＧナビゲーション処理部２６は、後述するステップＳ３０７においてユーザが視聴用コンテンツを選択する前に、ユーザの操作によってまたはＥＣＧナビ画面の表示に伴って、放送伝送路１１からダウンロードされた蓄積用コンテンツの購入属性メタデータを取得するためのリクエストを、コンテンツＩＤと共に通信処理部２０２に出力する。通信処理部２０２は、このリクエストを入力し、ＤＣＩ保持・解釈部３１において解釈されたダウンロード制御情報（ＤＣＩ）に含まれる購入属性メタデータの所在情報をあて先として、コンテンツ提供事業者Ａのサーバ６へそのリクエストを送信する。コンテンツ提供事業者Ａのサーバ６は、リクエストを受信し、リクエストに含まれるコンテンツＩＤをキーにして、蓄積装置７から購入属性メタデータを読み出し、日時またはユーザ等に対応した料金を設定し、通信処理部２０２へ送信する。
【００６８】
通信処理部２０２は、コンテンツ提供事業者Ａのサーバ６から購入属性メタデータを受信し、蓄積コンテンツ用ＥＣＧナビゲーション処理部２６及び購入処理部２０６に出力する。このようにして、受信装置２−１は、ユーザにより選択された蓄積用コンテンツの購入属性メタデータを取得し、蓄積用ＥＣＧナビ画面に表示する（ステップＳ３０６）。
【００６９】
図８は、購入属性メタデータの構成を示す図である。購入属性メタデータは、１つのコンテンツに対応した情報であり、購入ＩＤ、グループＩＤ、コンテンツを視聴する場合の料金、購入タイプ（単品、見放題等）、購入ページＵＲＬ、購入可能期間、コンテンツＩＤ等により構成される。このような購入属性メタデータは、コンテンツ提供事業者Ａの蓄積装置７に蓄積されており、サーバ６により送信される。
【００７０】
ユーザは、画面表示された複数の蓄積用コンテンツのＥＣＧメタデータ（例えば、コンテンツのタイトル名、概要、料金等）を参照して、表示された蓄積用コンテンツの中から、視聴用コンテンツを選択する（ステップＳ３０７）。
【００７１】
図２、図３及び図４に戻って、蓄積コンテンツ用ＥＣＧナビゲーション処理部２６は、ユーザによる視聴用コンテンツの選択操作により、選択されたコンテンツの課金処理を行うための指示、及びコンテンツのライセンスを取得するためのリクエストを、コンテンツＩＤと共に通信処理部２０２に出力する。通信処理部２０２は、蓄積コンテンツ用ＥＣＧナビゲーション処理部２６から入力した課金処理を行うための指示を購入処理部２０６に出力する。購入処理部２０６は、通信処理部２０２から課金処理のための指示を入力し、その指示に含まれるコンテンツＩＤをキーにして、既に入力した購入属性メタデータを特定し、その購入属性メタデータに基づいて課金処理を行う（ステップＳ３０８）。
【００７２】
通信処理部２０２は、蓄積コンテンツ用ＥＣＧナビゲーション処理部２６からライセンスを取得するためのリクエストを入力し、ＤＣＩ保持・解釈部３１において解釈されたダウンロード制御情報（ＤＣＩ）に含まれるライセンスの所在情報をあて先として、コンテンツ提供事業者Ａのサーバ６へそのリクエストを送信する。コンテンツ提供事業者Ａのサーバ６は、リクエストを受信し、リクエストに含まれるコンテンツＩＤをキーにして、蓄積装置７からライセンスを読み出し、通信処理部２０２へ送信する。
【００７３】
通信処理部２０２は、コンテンツ提供事業者Ａのサーバ６からライセンスを受信し、ライセンス管理部２０７に出力する。ライセンス管理部２０７は、通信処理部２０２からライセンスを入力すると、ライセンス管理を行う。このようにして、受信装置２−１は、ユーザにより選択された視聴用コンテンツのライセンスを取得する（ステップＳ３０９）。
【００７４】
図９は、ライセンスデータの構成を示す図である。ライセンスデータは、１つのコンテンツに対応した情報であり、ライセンスＩＤ、コンテンツを復号するときに必要なコンテンツ鍵、コンテンツの利用条件（利用開始日時、利用終了日時、信号出力制限、コピー制限等）、コンテンツＩＤ等により構成される。このようなライセンスデータは、コンテンツ提供事業者Ａの蓄積装置７に蓄積されており、サーバ６により送信される。
【００７５】
図２、図３及び図４に戻って、デクリプタ２０８は、ライセンス管理部２０７により取得されたライセンスに従い、ユーザにより選択された視聴用コンテンツ及び再生制御情報を蓄積装置２１から読み出す。そして、デクリプタ２０８は、再生制御情報に含まれるライセンスＩＤによって、ライセンス管理部２０７により取得されたライセンスを照合し、利用条件に合致する範囲でコンテンツ鍵によりコンテンツの復号を行う。ＡＶプレイヤ２０９は、デクリプタ２０８により復号されたコンテンツを映像及び音声として出力する。
【００７６】
このようにして、ユーザは、蓄積用コンテンツが蓄積装置２１に蓄積され、購入属性メタデータが取得された後、蓄積用コンテンツのＥＣＧメタデータの表示内容から視聴用コンテンツを選択する。そして、課金処理が完了した後、ライセンスが取得され、所望の視聴用コンテンツを視聴することができる（ステップＳ３１０）。
【００７７】
以上のように、実施例１の受信装置２−１によれば、ユーザが蓄積用コンテンツを選択するために必要なポータル用ＨＴＭＬファイル及びダウンロード制御情報（ＤＣＩ）を通信回線１２から取得し、放送伝送路１１から送信されるコンテンツのＥＣＧメタデータ、再生制御情報及びコンテンツ本体をコンテンツの配信時刻に放送伝送路１１から取得し、課金処理のために必要な購入属性メタデータを課金処理の直前に通信回線１２から取得し、ライセンスをコンテンツの視聴直前に通信回線１２から取得するようにした。これにより、コンテンツ提供事業者Ａの送信装置３は、ＥＣＧメタデータを配信時刻に送信すればよいから、常に送信する必要はない。また、受信装置２−１は、ユーザが蓄積用コンテンツを選択するためにポータル用ＨＴＭＬファイルを受信すればよいから、ＥＣＧメタデータを常に受信し更新する必要もない。したがって、放送伝送路１１の帯域を浪費することはない。
【００７８】
また、全てのユーザが共通に用いることができるＥＣＧメタデータ（図６）と、個々のユーザに対応して設定される料金に関する購入属性メタデータ（図８）とを分けるようにした。具体的には、コンテンツ提供事業者Ａの送信装置３は、ＥＣＧメタデータを、コンテンツ本体の送信タイミングと同じタイミングで放送伝送路１１を介して送信し、コンテンツ提供事業者Ａのサーバ６は、購入属性メタデータを、課金処理の直前のタイミングで通信回線１２を介して送信する。これにより、ＥＣＧメタデータを取得するためのリクエストは存在せず、コンテンツ本体の配信終了タイミングに集中することがないから、通信回線１２が輻輳状態になることはない。
【００７９】
また、受信装置２−１は、課金処理のために必要な購入属性メタデータを課金処理の直前に通信回線１２から取得するようにした。これにより、課金処理のための最新の購入属性メタデータを取得することができるから、利便性が低下することはない。
【００８０】
このように、放送伝送路１１と通信回線１２とを組み合わせてコンテンツダウンロードサービスの共通化を実現することが可能となる。すなわち、情報伝送は１方向のみであるが全国一斉に安定した伝送が可能な放送伝送路１１と、個別に双方向の情報伝送は可能であるが輻輳に弱い通信回線１２との両者の特徴を生かすことができ、サービス品質が低下することのないコンテンツダウンロードサービスを実現することが可能となる。
【００８１】
〔実施例２〕
次に、実施例２について説明する。この実施例２は、おまかせ型ダウンロードサービスを実現する例である。おまかせ型ダウンロードサービスとは、ユーザにより予め設定されたキーワード等に合致する蓄積用コンテンツをダウンロードして蓄積し、蓄積用コンテンツの中からユーザが所望する視聴用コンテンツをユーザに視聴させるサービスをいう。
【００８２】
図１０は、実施例２による受信装置の構成を示す図である。また、図１１は、実施例２によるおまかせ型ダウンロードサービスの処理を示すフローチャートであり、図１２は、その情報の流れを示す図である。図１０を参照して、この受信装置２−２は、蓄積装置２１、デジタル放送チューナ２２、放送ダウンローダ２３、予約リスト管理部２４、時計２５、蓄積コンテンツ用ＥＣＧナビゲーション処理部２６、カルーセル受信処理部４０、おまかせ型用予約処理部４１、ＤＣＩ保持・解釈部４２、通信回線サービス処理部２０１、通信処理部２０２、通信ダウンローダ２０４、購入処理部２０６、ライセンス管理部２０７、デクリプタ２０８及びＡＶプレイヤ２０９を備えている。
【００８３】
受信装置２−２は、放送伝送路１１を利用したコンテンツダウンロードサービス及び通信回線１２を利用したコンテンツダウンロードサービスを実現する。通信回線１２を利用したコンテンツダウンロードサービスは、通信回線サービス処理部２０１、ＤＣＩ保持・解釈部４２、蓄積装置２１、蓄積コンテンツ用ＥＣＧナビゲーション処理部２６、通信処理部２０２、通信ダウンローダ２０４、購入処理部２０６、ライセンス管理部２０７、デクリプタ２０８及びＡＶプレイヤ２０９により実現される。これは図１５に示した従来の受信装置２００による処理と同様であるから、ここでは説明を省略する。尚、受信装置２−２のＤＣＩ保持・解釈部４２及び蓄積コンテンツ用ＥＣＧナビゲーション処理部２６は、図１５に示したＤＣＩ保持・解釈部２０３及び蓄積コンテンツ用ＥＣＧナビゲーション処理部２０５と同様の処理をそれぞれ行い、さらに後述する処理も行う。
【００８４】
以下、放送伝送路１１を利用したコンテンツダウンロードサービスのうちのおまかせ型ダウンロードサービスについて説明する。
【００８５】
受信装置２−２を用いてユーザが放送伝送路１１を利用したコンテンツダウンロードサービスを受ける場合、まず、ユーザは、蓄積装置２１にダウンロードする蓄積用コンテンツを選択するためのキーワードを入力する（ステップＳ１１０１）。尚、ここではキーワードを入力するようにしているが、コンテンツのタイトル名、ジャンル等を入力するようにしてもよい。要するに、ユーザにより入力されるデータは、受信装置２−２が蓄積用コンテンツを特定してコンテンツ予約リストを作成するために、後述するシンプルメタデータに含まれるデータであればよい。また、ユーザによる入力操作に代えて、受信装置２−２は、ユーザが過去に視聴したコンテンツに基づいて、そのユーザが好むジャンル等を推定するようにしてもよい。例えば、ユーザが過去に視聴したコンテンツのジャンルを、ユーザが好むジャンルとする。この場合、推定したジャンル等に基づいて、後述するステップＳ１１０３において、蓄積用コンテンツを特定するための合致処理が行われる。
【００８６】
受信装置２−２は、コンテンツ提供事業者Ａの送信装置３から放送伝送路１１を介して、シンプルメタデータ及びダウンロード制御情報（ＤＣＩ）を定期的に受信する。この場合、送信装置３は、蓄積装置４からシンプルメタデータ及びダウンロード制御情報（ＤＣＩ）を読み出し、所定の期間内にダウンロードされるコンテンツに関するシンプルメタデータ及びダウンロード制御情報（ＤＣＩ）を、カルーセル処理の周期で送信する。
【００８７】
受信装置２−２のデジタル放送チューナ２２が、放送伝送路１１を介して受信アンテナ２０からシンプルメタデータ及びダウンロード制御情報（ＤＣＩ）を含む放送データを受信すると、カルーセル受信処理部４０は、デジタル放送チューナ２２から放送データを入力し、カルーセル受信処理によりシンプルメタデータ及びダウンロード制御情報（ＤＣＩ）を特定し、シンプルメタデータ及びダウンロード制御情報（ＤＣＩ）をおまかせ型用予約処理部４１に出力する。このようにして、受信装置２−２は、シンプルメタデータ及びダウンロード制御情報（ＤＣＩ）を取得する（ステップＳ１１０２）。
【００８８】
図１３は、シンプルメタデータの構成を示す図である。シンプルメタデータは、１つのコンテンツに対応した情報であり、従来のＥＣＧメタデータのうち、コンテンツの選択及び予約のために必要な情報のみから構成される。具体的には、図１３に示すように、コンテンツＩＤ、グループＩＤ、タイトル名、ジャンル、ＡＶ属性、概要、キーワード等により構成される。このようなシンプルメタデータは、コンテンツ提供事業者Ａの蓄積装置４に記憶されており、送信装置３によりカルーセル処理の周期で送信される。
【００８９】
図１０、図１１及び図１２に戻って、おまかせ型用予約処理部４１は、所定の期間内にダウンロードされる予定のコンテンツに関するシンプルメタデータ及びダウンロード制御情報（ＤＣＩ）を入力し、ステップＳ１１０１においてユーザにより入力されたキーワードと、シンプルメタデータに含まれるキーワードとを比較し、キーワードが合致するコンテンツを蓄積用コンテンツとして特定する。すなわち、両キーワードが合致した場合、シンプルメタデータにおけるそのコンテンツＩＤのコンテンツを蓄積用コンテンツとして特定する（ステップＳ１１０３）。そして、おまかせ型用予約処理部４１は、特定した蓄積用コンテンツのダウンロード制御情報（ＤＣＩ）をＤＣＩ保持・解釈部４２に出力する。
【００９０】
尚、ここでは、キーワードに基づいて蓄積用コンテンツを特定するようにしたが、キーワード以外のデータに基づいて特定するようにしてもよいし、受信装置２−２がシンプルメタデータを画面表示し、ユーザがその画面表示を参照して、蓄積用コンテンツを直接選択するようにしてもよい。
【００９１】
ＤＣＩ保持・解釈部４２は、おまかせ型用予約処理部４１から、蓄積用コンテンツのダウンロード制御情報（ＤＣＩ）を入力し、ダウンロード制御情報（ＤＣＩ）を保持して解釈する。また、ＤＣＩ保持・解釈部４２は、図１５及び図１６にて説明したように、蓄積用コンテンツが通信回線１２からダウンロードされる場合には、通信回線サービス処理部２０１からダウンロード制御情報（ＤＣＩ）を入力し、ダウンロード制御情報（ＤＣＩ）を保持して解釈する。ＤＣＩ保持・解釈部４２は、ダウンロード制御情報（ＤＣＩ）のうちのコンテンツの所在情報に基づいて、コンテンツが放送伝送路１１からダウンロードされるか、または通信回線１２からダウンロードされるかを判断する。ＤＣＩ保持・解釈部４２は、コンテンツが放送伝送路１１からダウンロードされると判断した場合、ダウンロード制御情報（ＤＣＩ）を予約リスト管理部２４に出力する。一方、コンテンツが通信回線１２からダウンロードされると判断した場合、ダウンロード制御情報（ＤＣＩ）を通信ダウンローダ２０４に出力する。コンテンツが通信回線１２からダウンロードされる処理は、図１５及び図１６に示した従来の処理と同様である。
【００９２】
予約リスト管理部２４は、ＤＣＩ保持・解釈部４２からダウンロード制御情報（ＤＣＩ）を入力し、ダウンロード制御情報（ＤＣＩ）のうちの、コンテンツの配信開始時刻及び配信終了時刻に基づいて、コンテンツ予約リストを作成し管理する。そして、予約リスト管理部２４は、時計２５から現在の時刻を読み出し、コンテンツの配信時刻の直前になるまで待つ。予約リスト管理部２４は、コンテンツの配信時刻の直前になったことを判断すると、蓄積用コンテンツのダウンロード処理を行うための指示を、その蓄積用コンテンツのコンテンツＩＤと共に放送ダウンローダ２３に出力する。
【００９３】
放送ダウンローダ２３は、予約リスト管理部２４から、蓄積用コンテンツのダウンロード処理を行うための指示を入力すると、その指示に含まれるコンテンツＩＤに関する情報（ＥＣＧメタデータ、再生制御情報及びコンテンツ本体）の入力を待つために、ダウンロード処理を開始する。
【００９４】
実施例１と同様に、コンテンツの配信時刻になると、デジタル放送チューナ２２は、コンテンツ提供事業者Ａの送信装置３から放送伝送路１１を介してＥＣＧメタデータ、再生制御情報及びコンテンツ本体を受信し、放送ダウンローダ２３に出力する。
【００９５】
放送ダウンローダ２３は、デジタル放送チューナ２２からＥＣＧメタデータ、再生制御情報及びコンテンツ本体を入力し、ＥＣＧメタデータを蓄積コンテンツ用ＥＣＧナビゲーション処理部２６に出力すると共に、再生制御情報及びコンテンツ本体を蓄積装置２１に蓄積する。このようにして、受信装置２−２は、蓄積用コンテンツのＥＣＧメタデータ、再生制御情報及びコンテンツ本体を取得する（ステップＳ１１０４）。
【００９６】
蓄積コンテンツ用ＥＣＧナビゲーション処理部２６は、放送ダウンローダ２３からＥＣＧメタデータを入力する。尚、図１５及び図１６に示したように、ユーザが通信回線１２からダウンロードされる蓄積用コンテンツを選択した場合には、蓄積コンテンツ用ＥＣＧナビゲーション処理部２６は、通信回線１２からダウンロードされるコンテンツのＥＣＧメタデータも通信ダウンローダ２０４から入力する。そして、全ての蓄積用コンテンツのＥＣＧメタデータが、ＥＣＧナビ画面に蓄積用コンテンツ毎に表示される（ステップＳ１１０５）。
【００９７】
蓄積コンテンツ用ＥＣＧナビゲーション処理部２６は、後述するステップＳ１１０７においてユーザが視聴用コンテンツを選択する前に、ユーザの操作によってまたはＥＣＧナビ画面の表示に伴って、放送伝送路１１からダウンロードされた蓄積用コンテンツの購入属性メタデータを取得するためのリクエストを、コンテンツＩＤと共に通信処理部２０２に出力する。実施例１と同様に、通信処理部２０２は、コンテンツ提供事業者Ａのサーバ６から購入属性メタデータを受信し、蓄積コンテンツ用ＥＣＧナビゲーション処理部２６及び購入処理部２０６に出力する。このようにして、受信装置２−２は、ユーザにより選択された蓄積用コンテンツの購入属性メタデータを取得し、蓄積用ＥＣＧナビ画面に表示する（ステップＳ１１０６）。
【００９８】
ユーザは、画面表示された複数の蓄積用コンテンツのＥＣＧメタデータ（例えば、コンテンツのタイトル名、概要、料金等）を参照して、表示された蓄積用コンテンツの中から、視聴用コンテンツを選択する（ステップＳ１１０７）。
【００９９】
蓄積コンテンツ用ＥＣＧナビゲーション処理部２６は、ユーザによる視聴用コンテンツの選択操作により、選択されたコンテンツの課金処理を行うための指示、及びコンテンツのライセンスを取得するためのリクエストを、コンテンツＩＤと共に通信処理部２０２に出力する。通信処理部２０２は、蓄積コンテンツ用ＥＣＧナビゲーション処理部２６から入力した課金処理を行うための指示を購入処理部２０６に出力する。購入処理部２０６は、通信処理部２０２から課金処理のための指示を入力し、その指示に含まれるコンテンツＩＤをキーにして、既に入力した購入属性メタデータを特定し、その購入属性メタデータに基づいて課金処理を行う（ステップＳ１１０８）。
【０１００】
通信処理部２０２は、蓄積コンテンツ用ＥＣＧナビゲーション処理部２６からライセンスを取得するためのリクエストを入力し、ＤＣＩ保持・解釈部４２において解釈されたダウンロード制御情報（ＤＣＩ）に含まれるライセンスの所在情報をあて先として、コンテンツ提供事業者Ａのサーバ６へそのリクエストを送信する。通信処理部２０２は、コンテンツ提供事業者Ａのサーバ６からライセンスを受信し、ライセンス管理部２０７に出力する。
【０１０１】
ライセンス管理部２０７は、通信処理部２０２からライセンスを入力すると、ライセンス管理を行う。このようにして、ライセンス管理部２０７は、ユーザにより選択された視聴用コンテンツのライセンスを取得する（ステップＳ１１０９）。
【０１０２】
デクリプタ２０８は、ライセンス管理部２０７により取得されたライセンスに従い、ユーザにより選択された視聴用コンテンツ及び再生制御情報を蓄積装置２１から読み出す。そして、デクリプタ２０８は、再生制御情報に含まれるライセンスＩＤによって、ライセンス管理部２０７により取得されたライセンスを照合し、利用条件に合致する範囲でコンテンツ鍵によりコンテンツの復号を行う。ＡＶプレイヤ２０９は、デクリプタ２０８により復号されたコンテンツを映像及び音声として出力する。
【０１０３】
このようにして、ユーザは、蓄積用コンテンツが蓄積装置２１に蓄積され、購入属性メタデータが取得された後、蓄積用コンテンツのＥＣＧメタデータの表示内容から視聴用コンテンツを選択する。そして、課金処理が完了した後、ライセンスが取得され、所望の視聴用コンテンツを視聴することができる（ステップＳ１１１０）。
【０１０４】
以上のように、実施例２の受信装置２−２によれば、ＥＣＧメタデータから切り分けたシンプルメタデータ及びダウンロード制御情報（ＤＣＩ）を放送伝送路１１から取得し、シンプルメタデータによってユーザが所望する蓄積用コンテンツを特定するようにした。また、放送伝送路１１から送信されるコンテンツのＥＣＧメタデータ、再生制御情報及びコンテンツ本体をコンテンツの配信時刻に放送伝送路１１から取得し、課金処理のために必要な購入属性メタデータを課金処理の直前に通信回線１２から取得し、ライセンスをコンテンツの視聴直前に通信回線１２から取得するようにした。これにより、コンテンツ提供事業者Ａの送信装置３は、ＥＣＧメタデータを配信時刻に送信すればよいから、常に配信予定の全てのコンテンツのＥＣＧメタデータを送信する必要はない。また、受信装置２−２は、シンプルメタデータを所定の周期により受信し、シンプルメタデータを用いて蓄積用コンテンツを特定するようにしたから、ＥＣＧメタデータを常に受信して更新する必要がない。したがって、放送伝送路１１の帯域を浪費することはない。
【０１０５】
また、実施例１と同様に、全てのユーザが共通に用いることができるＥＣＧメタデータ（図６）と、個々のユーザに対応して設定される料金に関する購入属性メタデータ（図８）とを分けるようにした。具体的には、コンテンツ提供事業者Ａの送信装置３は、ＥＣＧメタデータを、コンテンツ本体の送信タイミングと同じタイミングで放送伝送路１１を介して送信し、コンテンツ提供事業者Ａのサーバ６は、購入属性メタデータを、課金処理の直前のタイミングで通信回線１２を介して送信する。これにより、ＥＣＧメタデータを取得するためのリクエストは存在せず、コンテンツ本体の配信終了タイミングに集中することがないから、通信回線１２が輻輳状態になることはない。
【０１０６】
また、実施例１と同様に、受信装置２−２は、課金処理のために必要な購入属性メタデータを課金処理の直前に通信回線１２から取得するようにした。これにより、課金処理のための最新の購入属性メタデータを取得することができるから、利便性が低下することはない。
【０１０７】
このように、放送伝送路１１と通信回線１２とを組み合わせてコンテンツダウンロードサービスの共通化を実現することが可能となる。すなわち、情報伝送は１方向のみであるが全国一斉に安定した伝送が可能な放送伝送路１１と、個別に双方向の情報伝送は可能であるが輻輳に弱い通信回線１２との両者の特徴を生かすことができ、サービス品質が低下することのないコンテンツダウンロードサービスを実現することが可能となる。
【０１０８】
〔実施例３〕
次に、実施例３について説明する。この実施例３は、実施例１のデマンド型ダウンロードサービス及び実施例２のおまかせ型ダウンロードサービスの両サービスを実現する例である。
【０１０９】
図１４は、実施例３による受信装置の構成を示す図である。この受信装置２−３は、蓄積装置２１、デジタル放送チューナ２２、放送ダウンローダ２３、予約リスト管理部２４、時計２５、蓄積コンテンツ用ＥＣＧナビゲーション処理部２６、デマンド型用予約処理部３０、カルーセル受信処理部４０、おまかせ型用予約処理部４１、ＤＣＩ保持・解釈部５０、通信処理部２０２、通信ダウンローダ２０４、購入処理部２０６、ライセンス管理部２０７、デクリプタ２０８及びＡＶプレイヤ２０９を備えている。
【０１１０】
受信装置２−３は、放送伝送路１１を利用したコンテンツダウンロードサービス及び通信回線１２を利用したコンテンツダウンロードサービスを実現する。通信回線１２を利用したコンテンツダウンロードサービスは、デマンド型用予約処理部３０、ＤＣＩ保持・解釈部５０、蓄積装置２１、蓄積コンテンツ用ＥＣＧナビゲーション処理部２６、通信処理部２０２、通信ダウンローダ２０４、購入処理部２０６、ライセンス管理部２０７、デクリプタ２０８及びＡＶプレイヤ２０９により実現される。これは図１５に示した従来の受信装置２００による処理と同様であるから、ここでは説明を省略する。
【０１１１】
また、放送伝送路１１を利用したコンテンツダウンロードサービスのうち、デマンド型ダウンロードサービスは、デマンド型用予約処理部３０、ＤＣＩ保持・解釈部５０、蓄積装置２１、蓄積コンテンツ用ＥＣＧナビゲーション処理部２６、デジタル放送チューナ２２、放送ダウンローダ２３、予約リスト管理部２４、時計２５等により実現される。これは図２に示した実施例１の受信装置２−１による処理と同様であるから、ここでは説明を省略する。
【０１１２】
また、放送伝送路１１を利用したコンテンツダウンロードサービスのうち、おまかせ型ダウンロードサービスは、おまかせ型用予約処理部４１、カルーセル受信処理部４０、ＤＣＩ保持・解釈部５０、蓄積装置２１、蓄積コンテンツ用ＥＣＧナビゲーション処理部２６、デジタル放送チューナ２２、放送ダウンローダ２３、予約リスト管理部２４、時計２５等により実現され、図１０に示した実施例２の受信装置２−２による処理と同様であるから、ここでは説明を省略する。
【０１１３】
ここで、ＤＣＩ保持・解釈部５０は、デマンド型用予約処理部３０から、通信回線１２を介して送信されるコンテンツ（従来のダウンロードサービスのコンテンツ）のダウンロード制御情報（ＤＣＩ）または放送伝送路１１を介して送信されるコンテンツ（デマンド型ダウンロードサービスのコンテンツ）のダウンロード制御情報（ＤＣＩ）を入力すると共に、おまかせ型用予約処理部４１から、放送伝送路１１を介して送信されるコンテンツ（おまかせ型ダウンロードサービスのコンテンツ）のダウンロード制御情報（ＤＣＩ）を入力し、ダウンロード制御情報（ＤＣＩ）の保持及び解釈を行う。
【０１１４】
以上のように、実施例３の受信装置２−３によれば、実施例１及び実施例２と同様の効果を奏する。すなわち、配信予定の全てのコンテンツのＥＣＧメタデータが常に放送伝送路１１に送信されることがないから、放送伝送路１１の帯域を浪費することはない。また、放送伝送路１１を利用するコンテンツダウンロードサービスでは、ＥＣＧメタデータを取得するためのリクエストは存在しないから、そのリクエストがコンテンツ本体の配信終了タイミングに集中することがなく、通信回線１２が輻輳状態になることはない。また、課金処理の直前に最新の購入属性メタデータを取得することができるから、利便性が低下することはない。このように、放送伝送路１１と通信回線１２とを組み合わせてコンテンツダウンロードサービスの共通化を実現することが可能となる。
【０１１５】
以上、実施例を挙げて本発明を説明したが、本発明は前記実施例に限定されるものではなく、その技術思想を逸脱しない範囲で種々変形可能である。前記実施例では、コンテンツを提供する事業者としてコンテンツ提供事業者Ａ，Ｂの２者を挙げて説明したが、本発明はコンテンツ提供事業者の数に限定されるものではなく、送信装置３の数及びサーバ６，８，９の数にも限定されるものではない。
【０１１６】
また、前記実施例１，３では、受信装置２−１，２−３がポータルサイトのサーバ８からポータル用ＨＴＭＬファイルを受信するようにしたが、本発明はＨＴＭＬファイルに限定されるものではなく、例えばＢＭＬ（Ｂｒｏａｄｃａｓｔ  Ｍａｒｋｕｐ  Ｌａｎｇｕａｇｅ）ファイルであってもよい。
【０１１７】
また、前記実施例では、シンプルメタデータを、ＥＣＧメタデータから切り分けたメタデータであるとして説明した。しかしながら、ＡＲＩＢ  ＳＴＤ−Ｂ１０「デジタル放送に使用する番組配列情報」に規定されるＥＩＴ（Ｅｖｅｎｔ  Ｉｎｆｏｒｍａｔｉｏｎ  Ｔａｂｌｅ：番組の名称、放送日時、内容の説明等を含む、番組に関する情報の指示に用いるテーブル）をそのまま、またはその一部をシンプルメタデータとして用いるようにしてもよい。また、ＥＣＧメタデータは、シンプルメタデータより詳細なメタデータとして、前述した非特許文献１のＡＲＩＢ  ＳＴＤ−Ｂ３８に示されるメタデータの他、コンテンツを紹介するための映像、音声または静止画を含むようにしてもよい。また、ＥＣＧメタデータは、前述したＡＲＩＢ  ＳＴＤ−Ｂ１０に規定される情報を含んだ上で、さらに、詳細な情報や映像・音声・静止画を加えたメタデータとするようにしてもよい。このように、本発明は、ＥＣＧメタデータの形式及び内容、シンプルメタデータの形式及び内容によって限定されるものではない。
【０１１８】
また、前記実施例では、受信装置２−１〜２−３が、ダウンロード制御情報（ＤＣＩ）に含まれるライセンスの所在情報が示すコンテンツ提供事業者Ａのサーバ６から、コンテンツのライセンスを取得するようにした。しかしながら、受信装置２−１〜２−３は、ユーザにより当該受信装置２−１〜２−３に接続されたリムーバブルメディアから、コンテンツのライセンスを取得するようにしてもよい。この場合、ダウンロード制御情報（ＤＣＩ）に含まれるライセンスの所在情報は、リムーバブルメディアが接続される当該受信装置２−１〜２−３を示している。
【０１１９】
具体的には、図９に示したライセンスデータが格納されたリムーバブルメディアを、ユーザが受信装置２−１〜２−３に接続した後、蓄積コンテンツ用ＥＣＧナビゲーション処理部２６は、ユーザによる視聴用コンテンツの選択操作により、コンテンツのライセンスを取得するためのリクエストを、コンテンツＩＤと共に通信処理部２０２に出力する。通信処理部２０２は、蓄積コンテンツ用ＥＣＧナビゲーション処理部２６からライセンスを取得するためのリクエスト及びコンテンツＩＤを入力し、ＤＣＩ保持・解釈部３１において解釈されたダウンロード制御情報（ＤＣＩ）に含まれるライセンスの所在情報を判定する。通信処理部２０２は、ライセンスの所在情報が当該受信装置２−１〜２−３を示していると判定した場合、受信装置２−１〜２−３に接続されたリムーバブルメディアから、コンテンツＩＤをキーにしてライセンスを読み出し、ライセンス管理部２０７に出力する。ライセンス管理部２０７は、通信処理部２０２からライセンスを入力すると、ライセンス管理を行う。このようにして、受信装置２−１〜２−３は、ユーザにより選択された視聴用コンテンツのライセンスをリムーバブルメディアから取得する。ここで、リムーバブルメディアは補助記憶装置の一種であり、受信装置２−１〜２−３から容易に取り外すことができる記録媒体をいい、例えば、フロッピー（登録商標）ディスク、ＭＯ（光磁気ディスク）、ＣＤ−Ｒ、メモリカード、フラッシュメモリ等が含まれる。
【０１２０】
また、前記実施例において、コンテンツ提供事業者Ａの送信装置３は、ＥＣＧメタデータ、再生制御情報及びコンテンツ本体を、それぞれ独立したファイルとして送信するようにしてもよいし、これらをＩＳＯベースメディアファイルフォーマットまたはＭＰ４コンテナファイルフォーマットでコンテナ化し、１つのコンテナファイルとして送信するようにしてもよい。コンテンツ提供事業者Ａの送信装置３から受信装置２−１〜２−３へコンテナファイルが送信された場合、受信装置２−１〜２−３の放送ダウンローダ２３は、コンテナファイルからＥＣＧメタデータ、再生制御情報及びコンテンツ本体を抽出する。
【０１２１】
また、前記実施例において、ダウンロード制御情報（ＤＣＩ）のうちのコンテンツの配信開始時刻及び配信終了時刻は、１回のみのコンテンツ配信の時刻であってもよいし、カルーセル処理、アプリケーションレイヤでのＦＥＣ方式（ＡＬ−ＦＥＣ）等により冗長性を持つ形でのコンテンツ配信の時間帯であってよい。この場合、コンテンツ提供事業者Ａの送信装置３は、コンテンツ配信の時間帯において、ＥＣＧメタデータ、再生制御情報及びコンテンツ本体を、カルーセル処理、ＡＬ−ＦＥＣ方式等により冗長性を持つ形で送信する。受信装置２−１〜２−３は、受信データをとりこぼしたとしても、そのコンテンツ配信の時間帯であれば、都合の良いときに受信することができる。
【０１２２】
また、図１に示した伝送システム１において、通信回線１２は、ＴＣＰ／ＩＰ等の所定の通信プロトコルにより双方向の有線伝送を行うインターネット等の回線であってもよいし、無線伝送を行う回線であってもよい。また、受信装置２−１〜２−３は、携帯電話等の携帯型端末装置であってもよく、この場合、通信回線１２は無線伝送を行う回線となる。
【符号の説明】
【０１２３】
１，１００  伝送システム
２，２００  受信装置
３  送信装置
４，７，１０，２１  蓄積装置
５  送信アンテナ
６，８，９  サーバ
１１  放送伝送路
１２  通信回線
２０  受信アンテナ
２２  デジタル放送チューナ
２３  放送ダウンローダ
２４  予約リスト管理部
２５  時計
２６，２０５  蓄積コンテンツ用ＥＣＧナビゲーション処理部
３０  デマンド型用予約処理部
３１，４２，５０，２０３  ＤＣＩ保持・解釈部
４０  カルーセル受信処理部
４１  おまかせ型用予約処理部
２０１  通信回線サービス処理部
２０２  通信処理部
２０４  通信ダウンローダ
２０６  購入処理部
２０７  ライセンス管理部
２０８  デクリプタ
２０９  ＡＶプレイヤ
【図１】
2010063093.tif 000003
【図２】
2010063093.tif 000004
【図３】
2010063093.tif 000005
【図４】
2010063093.tif 000006
【図５】
2010063093.tif 000007
【図６】
2010063093.tif 000008
【図７】
2010063093.tif 000009
【図８】
2010063093.tif 000010
【図９】
2010063093.tif 000011
【図１０】
2010063093.tif 000012
【図１１】
2010063093.tif 000013
【図１２】
2010063093.tif 000014
【図１３】
2010063093.tif 000015
【図１４】
2010063093.tif 000016
【図１５】
2010063093.tif 000017
【図１６】
2010063093.tif 000018